【手続補正書】
【提出日】平成16年10月8日(2004.10.8)
【手続補正１】
【補正対象書類名】特許請求の範囲
【補正対象項目名】全文
【補正方法】変更
【補正の内容】
【特許請求の範囲】
【請求項１】
タッチスクリーンを備えるとともに画像データを表示すべく形成されている表示装置と、
前記表示装置に少なくとも１つの電話ユーザインタフェース画像を出力し、および前記タッチスクリーン上の対応する位置からユーザ入力を入力するための第１のプロセッサと、
前記表示装置に１つ以上のユーザインタフェース画像を出力し、および第２のプロセッサによって実行されるタスクに使用されるユーザ入力を、前記タッチスクリーン上の対応する位置から入力するための前記第２のプロセッサとからなる電子機器。
【請求項２】
前記第１のプロセッサは第１のオペレーティングシステムを利用し、前記第２のプロセッサは第２のオペレーティングシステムを利用している、請求項１に記載の電子機器。
【請求項３】
前記第１プロセッサおよび第２プロセッサは、共有の表示インタフェースを介して前記表示装置に接続されている、請求項１または２に記載の電子機器。
【請求項４】
前記第１のプロセッサによって使用される第１の組の複数の記憶場所と、
前記第２のプロセッサによって使用される第２の組の複数の記憶場所とをさらに備える、請求項１〜３のいずれか一項に記載の電子機器。
【請求項５】
前記第１のプロセッサおよび第２のプロセッサによって共有されている記憶装置をさらに備える、請求項１〜４のいずれか一項に記載の電子機器。
【請求項６】
前記第１のシステムプロセッサが前記第２のシステムプロセッサの動作を制御する請求項１〜５のいずれか一項に記載の電子機器。
【請求項７】
前記第１の組の記憶場所または前記第２の組の記憶場所のうちのいずれか一方からデータを選択して、前記表示装置にユーザインタフェース画像データを出力する制御回路をさらに備える、請求項４〜６のいずれか一項に記載の電子機器。
【請求項８】
前記制御回路は前記第１のプロセッサによって制御される、請求項７に記載の機器。
【請求項９】
前記画像データは、少なくとも一辺において前記表示装置よりも大きな画像の一部を画定する請求項１〜８のいずれか一項に記載の電子デバイス。
【請求項１０】
モニタと、
少なくとも１つのユーザ入力装置と、
請求項１に記載の電子機器とインタフェースするコネクタを備えるドッキングステーションとを備える、コンピュータシステム。
【請求項１１】
Ｘピクセル幅×Ｙピクセル高さの画像を定義する画像データを生成し、
前記表示装置に、Ｘピクセル幅、Ｙ／Ｎピクセル高さに等しい前記画像の一部分を表示し、および
前記モニタに、前記Ｘピクセル幅×Ｙピクセル高さの画像を表示するための構造をさらに備える、請求項１０に記載のコンピュータシステム。
【請求項１２】
前記コンピュータはスレーブ機器として電子機器を使用する、請求項１０または１１に記載のコンピュータシステム。
【請求項１３】
入力を有する表示装置と、
第１のプロセッサからの出力を受ける第１の入力と第２のプロセッサからの出力を受ける第２の入力とを備え、前記各プロセッサは異なるものであり、前記表示装置に所望の表示を提供するために必要な情報を完成させるように形成されている、電子機器。
【請求項１４】
前記画像データは、少なくとも一辺において前記表示装置よりも大きな画像の一部を画定する請求項１３に記載の電子デバイス。
【請求項１５】
簡単な機能を実行する特性を有する第１のシステムプロセッサを設ける工程と、
前記第１のシステムプロセッサによって実行された機能よりも複雑な機能を実行する特性を有する第２のシステムロセッサを設ける工程と、
前記第１のシステムプロセッサを使用して、前記第２のシステムプロセッサの動作を制御する工程とを有する携帯用電子機器の使用方法。
【請求項１６】
前記第２のシステムプロセッサはスリープと活性のモードを有し、
前記第２のシステムプロセッサは通常は電力を節約するためにスリープモードにあり、
前記第１のシステムプロセッサは、前記第２のシステムプロセッサがいつ前記第２のシステムプロセッサ独自の機能を実行すべきかを判定し、
前記第１のシステムプロセッサが、前記第２のシステムプロセッサが前記第２のシステムプロセッサ独自の機能を実行しなければならないことを判定したときに、前記第１のシステムプロセッサは前記第２のシステムプロセッサを活性モードに転換する、請求項１５に記載の電子機器。
【請求項１７】
前記第２のシステムプロセッサは、クロック速度と、デューティサイクルと、スリープモードと、電力消費とを含む複数のパラメータに基づいて動作し、
前記第１のシステムプロセッサは、前記第２のシステムプロセッサの複数のパラメータのうちの少なくとも１つを制御する、請求項１５または１６に記載の方法。
【請求項１８】
前記第１のシステムプロセッサは第１のオペレーティングシステムを使用し、前記第２のシステムプロセッサは、前記第１のオペレーティングシステムとは異なった第２のオペレーティングシステムを使用する、請求項１５〜１７のいずれか一項に記載の方法。
【手続補正２】
【補正対象書類名】明細書
【補正対象項目名】００２８
【補正方法】変更
【補正の内容】
【００２８】
一実施形態において、システムプロセッサ３０２は、機器３００全体の電源管理者としての役割を果たしている。したがって、システムプロセッサ３０２は、プロセッサ３２０がいつオンになるか、またはいつスリープモードになるかを判定している。一実施形態において、システムプロセッサ３０２は、例えばプロセッサ３２０によって実行されているタスク、電池３０１の充電状態、およびユーザの選択に基づいてプロセッサ３２０の動作速度を決定する。システムプロセッサ３０２は、そのパワーマネージメントタスクの一部として、プロセッサ３２０が動作しているときに、プロセッサ３２０に関連しているどの素子がオンにされるかを判定している。このように、プロセッサ３２０は、１つ以上の外部入出力コントローラ３２３、モデム３２４、およびハードドライブ３２５が無効になっていても、それらの機器がタスクに対して差し迫っては必要でない場合には動作を継続することができ、したがって電力を節約できるとともに電池３０１の有効寿命を延ばすことができる。
即ち、一実施形態によると、携帯用パーソナル電子機器の使用方法において、簡単な機能を実行する特性を有する第１のシステムプロセッサを設ける工程と、第１のシステムプロセッサによって実行された機能よりも複雑な機能を実行する特性を有する第２のシステムロセッサを設ける工程と、第１のシステムプロセッサを使用して、第２のシステムプロセッサの動作を制御する工程とを有する使用方法が提供される。この方法では、第２のシステムプロセッサは、スリープおよび活性モードを有し、第２のシステムプロセッサは、スリープモードではいかなる演算も実行せずに、活性モードにおいて演算を実行し、かつ電力を節約するために通常スリープモードである。第１のシステムプロセッサは、第２のシステムプロセッサがその機能をいつ実行しなければならないかを判定し、第１のシステムプロセッサが、前記第２のシステムプロセッサが前記第２のシステムプロセッサ独自の機能を実行しなければならないことを判定すると、前記第１のシステムプロセッサは、前記第２のシステムプロセッサを活性モードに転換する。第１のプロセッサは、第２のプロセッサの、クロック速度、デューティサイクル、スリープモード、及び電力消費からなるパラメータのグループから選択される１つ以上のパラメータを制御する。